(57)【要約】【課題】地震時に、踏み石が大きく動くことを防止して、接触時の衝撃を抑えることができる椅子システムを提供する。【解決手段】椅子システム１は、踏み石Ｇが配置された通路Ｔを有する床体上に、該通路Ｔに隣接して設けられた椅子システム１であって、脚体２と、該脚体２に支持されて配列する複数の座部４０とを備え、前記脚体２は、前記複数の座部４０の奥行き方向に離間して配設された一対の脚杆１０を有し、該一対の脚杆１０は、前記複数の座部４０の配列方向の端部４０Ａ，４０Ｂよりも外側に設けられ、前記踏み石Ｇの移動を規制する移動規制部として構成されていることを特徴とする。【選択図】図１
2014083094.tif 000002
【特許請求の範囲】
【請求項１】
踏み石が配置された通路を有する床体上に、該通路に隣接して設けられた椅子システムであって、
脚体と、
該脚体に支持されて配列する複数の座部とを備え、
前記脚体は、前記複数の座部の奥行き方向に離間して配設された一対の脚杆を有し、
該一対の脚杆は、前記複数の座部の配列方向の端部よりも外側に設けられ、前記踏み石の移動を規制する移動規制部として構成されていることを特徴とする椅子システム。
【請求項２】
請求項１に記載の椅子システムにおいて、
前記脚体は、前記一対の脚杆の上端を連結する上部杆を有することを特徴とする椅子システム。
【請求項３】
請求項１または請求項２に記載の椅子システムにおいて、
前記一対の脚杆の前記奥行き方向の離間距離の寸法は、前記踏み石の該奥行き方向の長さ寸法よりも小さいことを特徴する椅子システム。
【請求項４】
請求項１から請求項３のいずれか一項に記載の椅子システムにおいて、
前記脚体は、前記複数の座部を前記配列方向に向かって連結するとともに、該配列方向端部が前記一対の脚杆に固定された連結杆を有することを特徴とする椅子システム。
【発明の詳細な説明】
【技術分野】
【０００１】
本発明は、椅子システムに関するものである。
【背景技術】
【０００２】
一般に、スタジアムや球技場等では、床が階段状に設けられるとともに、これらの床に複数の椅子が設置されている。このような床と椅子との配置により、いずれの椅子に着座した観客にとってもスタジアムにて行われる競技が見易くなっている。
【０００３】
上記のスタジアムの床は、例えばプレキャストコンクリートで構成された複数の床板が間隔を有して配置され、これら複数の床板の間が目地とされて、一の階の床が構成されている。そして、これら床が上下方向に階段状に設けられて複数の階の床が構成されている。
【０００４】
ここで、床の厚みが厚い場合には床面上に踏み石が設けられ、一の階の床、一の階に設けられた踏み石、一の階の上階の床、上階に設けられた踏み石…により、観客が上下方向に移動する階段が構成されている。また、これら踏み石は、床板同士の目地部分に設けられることがある。
【０００５】
一方、このような床に設置される複数の椅子として、床面から立設された一対の支脚と、該一対の支脚にまたがって配設される連結材と、該連結材に支持され着座者の着座を可能とするとともに隣接配置された複数の座部と、該座部の後部から立設され着座者の背を支持する背凭れとを有する一列状の椅子が提案されている（下記特許文献１参照）。
スタジアム等においては、上記の一列状の椅子が複数列配置され、多数の観客の着座を可能としている。
【先行技術文献】
【特許文献】
【０００６】
【特許文献１】実公昭６３−７０９３号公報
【発明の概要】
【発明が解決しようとする課題】
【０００７】
ここで、例えば大規模な地震等によりスタジアムに配置された床板が振動すると、隣接する床板同士の振動方向の違いや床板が上下方向に振動することにより、目地上に設けられた踏み石が大きく移動してしまう場合がある。この場合には、踏み石が大きく動いて上記の特許文献１に記載の椅子の支脚に接触する虞がある。
【０００８】
本発明は、上記事情に鑑みてなされたものであり、地震時に、踏み石が大きく動くことを防止して、接触時の衝撃を抑えることができる椅子システムを提供するものである。
【課題を解決するための手段】
【０００９】
上記目的を達成するために、本発明は以下の手段を採用している。
すなわち、本発明に係る椅子システムは、踏み石が配置された通路を有する床体上に、該通路に隣接して設けられた椅子システムであって、脚体と、該脚体に支持されて配列する複数の座部とを備え、前記脚体は、前記複数の座部の奥行き方向に離間して配設された一対の脚杆を有し、該一対の脚杆は、前記複数の座部の配列方向の端部よりも外側に設けられ、前記踏み石の移動を規制する移動規制部として構成されていることを特徴とする。
【００１０】
このように構成された椅子システムでは、一対の脚杆が複数の座部の配列方向の端部よりも外側に配設されているため、例えば地震等により踏み石が移動して一対の脚杆に接触した場合には、奥行き方向に離間した一対の脚杆が踏み石の移動を規制する。よって、踏み石が大きく動いて座部に接触することを防止することができる。したがって、踏み石が大きく動かずに一対の脚杆に接触するだけであるため、椅子システムへの接触時の衝撃を抑えることができる。
また、床体及び踏み石を昇降する利用者は一対の脚杆を把持することができるため、該一対の脚杆は手摺としても機能する。
【００１１】
また、本発明に係る椅子システムは、前記脚体は、前記一対の脚杆の上端を連結する上部杆を有することを特徴とする。
【００１２】
このように構成された椅子システムでは、上部杆により、一対の脚杆が座部の奥行き方向に連結されるため、脚体としての剛性を高めることができる。
また、踏み石を昇降する利用者は上部杆を把持することができるため、手摺として機能を高めることができる。
【００１３】
また、本発明に係る椅子システムは、前記一対の脚杆の前記奥行き方向の離間距離の寸法は、前記踏み石の該奥行き方向の長さ寸法よりも小さいことを特徴する。
【００１４】
このように構成された椅子システムでは、例えば、椅子システムに隣接して配置された踏み石が地震などにより移動した場合では、一対の脚杆の奥行き方向の離間距離の寸法が、踏み石の奥行き方向の長さ寸法よりも小さいため、踏み石が一対の脚杆間を通過して座部と接触することがない。よって、踏み石が大きく動かずに一対の脚杆に接触するだけであるため、椅子システムへの接触時の衝撃を抑えることができる。
【００１５】
また、本発明に係る椅子システムは、前記脚体は、前記複数の座部を前記配列方向に向かって連結するとともに、該配列方向端部が前記一対の脚杆に固定された連結杆を有することを特徴とする。
【００１６】
このように構成された椅子システムでは、椅子システムに対して配列方向に向かって作用する力に対しては、連結杆の軸力により抗することができるため、椅子システムとしての強度を高めることができる。
【発明の効果】
【００１７】
本発明に係る椅子システムによれば、地震時に、踏み石が大きく動くことを防止して、接触時の衝撃を抑えることができる。
【図面の簡単な説明】
【００１８】
【図１】本発明の第一実施形態に係る椅子システムの上面図である。
【図２】本発明の第一実施形態に係る椅子システムの側面図である。
【図３】本発明の第一実施形態に係る椅子システムの正面図である。
【図４】本発明の第一実施形態に係る椅子システムの脚体の構成を示す図である。
【図５】図４の分解図である。
【図６】本発明の第二実施形態に係る椅子システムの側面図である。
【図７】本発明の第二実施形態に係る椅子システムの正面図である。
【発明を実施するための形態】
【００１９】
（第一実施形態）
以下、本発明の第一実施形態に係る椅子システムについて、図面を参照して説明する。
まず、椅子システムが設けられる一例としてスタジアムについて説明する。
図１及び図２に示すように、スタジアムＤの床部分は、床体Ｆが上下方向に複数階段状に配設されて構成されている。
【００２０】
床体Ｆは、例えばプレキャストコンクリートで形成された床ユニットＵが間隙Ｋを有して複数配設されて構成され、これら間隙Ｋには充填剤等が充填されて目地Ｍとされている。
なお、床ユニットＵとしては、プレキャストコンクリートに限られず、現場で打設される鉄筋コンクリート造の床等であってもよい。
【００２１】
この目地Ｍに沿って、且つ目地Ｍを跨るようにして、利用者の上下方向への移動を可能とする通路Ｔが形成され、この通路には踏み石Ｇが設けられている。
【００２２】
図２に示すように、一の床体Ｆ１、該一の床体Ｆ１に設けられた踏み石Ｇ１、一の床体Ｆ１の上階の床体Ｆ２、床体Ｆ２に設けられた踏み石Ｇ２、床体Ｆ２の上階の床体Ｆ３…により、階段Ｓが形成されている。
図１に示すように、このように構成された床体Ｆの通路に隣接して、椅子システム１が設けられている。
【００２３】
次に、上記のように構成されたスタジアムＤに設けられる椅子システム１について、詳細に説明する。
図３に示すように、椅子システム１は、脚体２と、該脚体２に支持されて配列する複数の座部４０とを備えている。
ここで、座部４０の奥行き方向を前後方向として、図３に示す紙面手前側を前方、紙面奥側を後方とする。また、座部４０が配列される配列方向を左右方向とする。
【００２４】
図１及び図２に示すように、脚体２は、前後方向に離間して配設された一対の脚杆１０と、該一対の脚杆１０の上端を連結する上部杆２０と、複数の座部４０を連結する連結杆３０とを有している。
【００２５】
一対の脚杆１０は、床体Ｆの上面Ａから立設され上下方向に延在する第一脚杆１１と、該第一脚杆１１と前後方向に対向する第二脚杆１２とを有している。
【００２６】
第二脚杆１２は、床体Ｆの立設面Ｂから前方に向かって延出する取付部１２Ａと、該取付部１２Ａの前端から上方に向かって延出する縦杆部１２Ｂとを有している。
【００２７】
第一脚杆１１の下端には取付プレート１１Ａが設けられ、該取付プレート１１Ａが床体Ｆの上面Ａにボルト１１Ｂで固定されることで、該第一脚杆１１は床体Ｆに固定されている。
【００２８】
また、第二脚杆１２の取付部１２Ａの端部には取付プレート１３Ａが設けられ、該取付プレート１３Ａが第一脚杆１１が固定される床体Ｆよりも上階の床体Ｆの立設面Ｂにボルト１３Ｂで固定されることで、該第二脚杆１２は上階の床体Ｆに固定されている。
また、第一脚杆１１の上端と第二脚杆１２の縦杆部１２Ｂの上端とは、前後方向に延在する上部杆２０により連結されている。
【００２９】
本実施形態では、これら第一脚杆１１、第二脚杆１２及び上部杆２０は、断面視略円形状の部材で一体に形成されている。
【００３０】
ここで、第一脚杆１１と第二脚杆１２との前後方向の離間距離の寸法Ｌ１は、踏み石Ｇの前後方向の長さ寸法Ｌ２よりも小さい。
【００３１】
図４及び図５に示すように、連結杆３０は、複数の座部４０（図２参照）の下部を左右方向に連結し、前方に配設された第一連結杆３１と、該第一連結杆３１よりも後方且つ下方に配設された第二連結杆３２とを有している。
【００３２】
これら第一連結杆３１及び第二連結杆３２は、左右方向の端部が第一脚杆１１及び第二脚杆１２の縦杆部１２Ｂに連結されている。
【００３３】
本実施形態では、第一脚杆１１及び第二脚杆１２の縦杆部１２Ｂに連結された下支持部３６の上に第一連結杆３１及び第二連結杆３２が設けられ、下支持部３６と対向するように第一連結杆３１及び第二連結杆３２の上部に上支持部３７が設けられる。そして、上支持部３７及び下支持部３６を上下方向にボルト３３により締結することにより、第一連結杆３１及び第二連結杆３２は下支持部３６を介して第一脚杆１１及び第二脚杆１２に取付けられている。
また図３に示すように、連結杆３０は、床体Ｆの上面Ａから立設された支持部３９により、支持されている。
【００３４】
図１及び図２に示すように、座部４０は、左右方向に隣接して複数配設され、下部がそれぞれ第一連結杆３１及び第二連結杆３２に固定されている。本実施形態では、第一連結杆３１及び第二連結杆３２を前後方向に連結する座下連結部４１を介して、座部４０は第一連結杆３１及び第二連結杆３２に固定されている。
また、この座部４０の後部には、上方に向かって立設する背凭れ４２が設けられている。
【００３５】
第一脚杆１１及び第二脚杆１２は、左右方向に配列された複数の座部４０及び背凭れ４２のうち左右方向の端部４０Ａ，４０Ｂよりも左右方向外側、すなわち踏み石Ｇ側に設けられている。これにより、例えば床体Ｆ上に設けられた踏み石Ｇが移動した場合には、第一脚杆１１及び第二脚杆１２は、踏み石Ｇの左右方向への移動を規制する移動規制部として構成されている。
【００３６】
また、第一脚杆１１及び第二脚杆１２の床体Ｆからの高さ寸法Ｈ１は、座部４０の床体Ｆからの高さ寸法Ｈ２よりも大きい。
【００３７】
このように構成された椅子システム１では、第一脚杆１１及び第二脚杆１２が複数の座部４０及び背凭れ４２の左右方向の端部４０Ａ，４０Ｂよりも踏み石Ｇ側に配設されている。よって、例えば地震等により踏み石Ｇが移動して第一脚杆１１及び第二脚杆１２に接触した場合には、前後方向に離間した第一脚杆１１及び第二脚杆１２の取付部１２Ａ及び縦杆部１２Ｂは、踏み石Ｇが複数の座部４０側に向かってさらに移動することを規制することができる。したがって、踏み石Ｇが大きく動いて座部４０及び背凭れ４２に接触することを防止することができる。したがって、踏み石Ｇが大きく動かずに第一脚杆１１及び第二脚杆１２に接触するだけであるため、椅子システム１への接触時の衝撃を抑えて、該椅子システム１としての構造を維持することができる。
【００３８】
さらに、第一脚杆１１及び第二脚杆１２の前後方向の離間距離の寸法Ｌ１が、踏み石Ｇの奥行き方向の長さ寸法Ｌ２よりも小さいため、踏み石Ｇが第一脚杆１１と第二脚杆１２との前後方向の間を通過して座部４０と接触することがない。よって、踏み石Ｇが大きく動いて座部４０及び背凭れ４２に接触することを防止することができる。したがって、踏み石Ｇが大きく動かずに第一脚杆１１及び第二脚杆１２に接触するだけであるため、椅子システム１への接触時の衝撃を抑えて、椅子システム１としての構造を確実に維持することができる。
【００３９】
また、床体Ｆ及び踏み石Ｇを昇降する利用者は、第一脚杆１１、第二脚杆１２、上部杆２０を把持することができるため、該第一脚杆１１、第二脚杆１２、上部杆２０は手摺としても機能する。よって、手摺を脚体２とは別部材として設ける必要がないため、部品点数を削減することができるとともにコストを抑えることができる。
【００４０】
また、この第一脚杆１１、第二脚杆１２又は上部杆２０に座席の番号を表示する表示部（不図示）を設けることにより、通路を通行する利用者にとって見易い位置に表示部を設けることができる。さらに、その大きさを調整することにより、さらに見易くすることも可能である。
【００４１】
また、第一脚杆１１及び第二脚杆１２の床体Ｆからの高さ寸法Ｈ１は、座部４０の床体Ｆからの高さ寸法Ｈ２よりも大きいため、手摺や表示部としての利便性が高い。
【００４２】
また、上部杆２０は第一脚杆１１及び第二脚杆１２を前後方向に連結するため、脚体２としての剛性を高めることができる。
【００４３】
また、椅子システム１に対して左右方向に向かって作用する力に対しては、第一連結杆３１及び第二連結杆３２の軸力により抗することができるため、椅子システム１としての強度を高めることができる。
【００４４】
（第二実施形態）
以下、本発明の第二実施形態に係る椅子システム２０１について、図６及び図７を用いて説明する。
この実施形態において、前述した実施形態で用いた部材と同一の部材には同一の符号を付して、その説明を省略する。
【００４５】
第一実施形態における椅子システム１では第二脚杆１２は床体Ｆの立設面Ｂに固定されていたが、本実施形態では第二脚杆２１２は第一脚杆１１と同様に床体Ｆの上面Ａに固定されている。
【００４６】
第二脚杆２１２は、床体Ｆの上面Ａから上下方向に向かって延出し、その上端が上部杆２０により第一脚杆１１の上端と連結されている。
【００４７】
また、連結杆３０は、第一脚杆１１が固定された床体Ｆよりも上階の床体Ｆの立設面Ｂから前方に向かうにしたがって次第に上方に向かうように形成された支持部２３９により支持されている。
【００４８】
このように構成された椅子システム２０１においても、第一脚杆１１及び第二脚杆２１２が複数の座部４０及び背凭れ４２の左右方向の端部４０Ａよりも踏み石Ｇ側に配設されている。よって、例えば地震等により踏み石Ｇが移動して第一脚杆１１及び第二脚杆２１２に接触した場合には、前後方向に離間した第一脚杆１１及び第二脚杆２１２は、踏み石Ｇが複数の座部４０側に向かってさらに移動することを規制することができる。したがって、踏み石Ｇが大きく動いて座部４０及び背凭れ４２に接触することを防止することができる。したがって、踏み石Ｇが大きく動かずに第一脚杆１１及び第二脚杆１２に接触するだけであるため、椅子システム２０１への接触時の衝撃を抑えて、該椅子システム２０１としての構造を維持することができる。
【００４９】
また、上述した実施の形態において示した動作手順、あるいは各構成部材の諸形状や組み合わせ等は一例であって、本発明の主旨から逸脱しない範囲において設計要求等に基づき種々変更可能である。
【００５０】
本実施形態では、第一脚杆１１、第二脚杆１２及び上部杆２０は断面視略円形状に形成されているが、略矩形状の部材であってもよい。また、第一脚杆１１、第二脚杆１２及び上部杆２０は一体で形成されているが、別部材で構成されていてもよい。
【００５１】
さらに、脚体２が上部杆２０を有さない構成であってもよい。この場合には、簡素な構成としながら、第一脚杆１１及び第二脚杆１２が踏み石Ｇの移動を規制する移動規制部として機能することが可能である。
【符号の説明】
【００５２】
１，  ２０１…椅子システム
２…脚体
１０…脚杆
２０…上部杆
３０…連結杆
４０…座部
Ｆ…床体
Ｇ…踏み石
Ｔ…通路
【図１】
2014083094.tif 000003
【図２】
2014083094.tif 000004
【図３】
2014083094.tif 000005
【図４】
2014083094.tif 000006
【図５】
2014083094.tif 000007
【図６】
2014083094.tif 000008
【図７】
2014083094.tif 000009